(57)【要約】【課題】つるをレンズに対して横向きに折り畳む事で嵩高やつるの内側に設けた障害物がレンズに触れないメガネを提供する。【解決手段】一対のフレームにレンズをはめ、内側に鼻パットを設け、外側にＬ形金具及び蝶番を介してつるを設けたメガネにおいて、つるに取り付けた蝶番のオス部の軸を軸受けに通し、回転自在にかしめて回転と開閉が出来る事を特徴としたメガネ。【選択図】図１
2006343741.tif 000002
【特許請求の範囲】
【請求項１】
一対のフレームにレンズをはめ、内側に鼻パットを設け、外側にＬ形金具及び蝶番を介してつるを設けたメガネにおいて、つるに取り付けた蝶番のオス部の軸を軸受けに通し、回転自在にかしめて開閉と回転が出来るようにしたことを特徴としたメガネ。
【請求項２】
蝶番のメス部の下面とつるの上面が密着するようにした請求項１のメガネ。
【発明の詳細な説明】
【技術分野】
【０００１】  本発明はつるの嵩高等を抑える為につるを横向きにする蝶番を設けたメガネに関するものである。
【背景技術】
【０００２】  従来、蝶番はつるを９０°開閉するものであった。
【発明の開示】
【発明が解決しようとする課題】
【０００３】  そのために、次のような欠点があった。
（イ）ほぼ水平のつるを使用した場合、頭部に密着させるとつるが湾曲して、折り畳むと嵩が高くなりケースに入らない事があった。
（ロ）又メガネの前部が下がりずらいようにつるの途中で頭部に係止する補助つる等を設けた時、つるの内側がレンズに対面している為に触れる事があった。
【課題を解決するために手段】
【０００４】  一対のフレームにレンズをはめ、ブリッジで結び、内側に鼻パットを設け、外側にＬ形金具及び蝶番を介してつるを設けたメガネにおいて、つるに取り付けた蝶番のオス部の軸を軸受けに通し、回転自在にかしめて開閉と回転が出来るようにする。
【発明の効果】
【０００５】  湾曲したつるを９０°横向きにする事で、嵩張らず、又補助つる等の障害物も横向きになるのでレンズに触れる事がなくなった。
【発明を実施するための最良の形態】
【０００６】  本発明の第１の実施の形態について図１から図４を用いて説明するが図面はもっぱら解説のためのもので技術的範囲を限定するものではない。
（イ）隙間１３・１３を挟んで前部を丸形にした通し孔付きメスこま１１・１１とネジ付きメスこま１２・１２を並べ、後部で熔着してメス部１４・１４を設け、Ｌ形金具６・６の末端の内側に取り付ける。この時、通し孔付きメスこま１１・１１とネジ付きメスこま１２・１２の前部の丸形の下面がＬ形金具６・６と水平になるようにする。
（ロ）隙間１３・１３に差し込まれる長方形の通し孔付きオスこま１５・１５の前部を半円形の爪形にし、後部に座金を兼ねた円盤１６・１６を設け、更に裏側に軸１８・１８を設けてオス部１９・１９とする。次に直角に曲げたＬ形軸受け２０・２０の一方を垂直に立て、円盤１６・１６に準じて上面側部を円形にし、更に軸１８・１８に対応してＬ形軸受け２０・２０の円盤１６・１６側の中央、中心線上に軸孔２１・２１をあける。そしてＬ形軸受け２０・２０の上面、中心線の中央に止め金２２・２２を円盤１６・１６側に一部はみ出して取り付ける。
（ハ）軸１８・１８を軸孔２１・２１に通し回転自在にかしめる。そして通し孔付きオス駒１５・１５の上面後方で、円盤１６・１６の外周上にはみ出した止め金２２・２２の外側に隣接してストッパー１７・１７を設け、更に止め金２２・２２から約９０〜１００°離れた内側の所にストッパー１７・１７を設けてつる９・９の内側先端に取り付ける。
（ニ）最後にＬ形金具６・６のメス部１４・１４とつる９・９のオス部１９・１９をネジ８・８で結び回転蝶番７・７とする。メガネ１は以上のような構成である。
この回転蝶番７・７を用いたメガネ１の使用法は従来のメガネと同じである。折り畳む時は片手でメガネ１を持ち、もう一方の手の親指と人差し指でつる９・９を持ち、回転蝶番７・７の開閉機能を利用して内側に少し折り曲げ、図（ａ）。次に回転機能を利用して内側に９０°ストッパー１７・１７に止め金２２・２２が当たる迄内側に捻ってつる９・９を横向きにする、図（ｂ）。もう一方のつる９・９も同じ事を繰り返すことで完全に折り畳むことが出来る。又従来の蝶番ではメスこまとオスこまの下面とＬ形金具及びつる９・９の上面との間に僅かであるが隙間があった。しかし開閉運動だけなので問題がなかったが回転蝶番７・７においては、新たに回転運動が加わった為に僅かの隙間でもつる９．９の左右の揺れを起こすので、常にメス部１４・１４の前部の丸形の下面とつる９・９の上面が密着している必要がある。又そのことはつる９・９の先端がメス部１４・１４の下面と重なっていることでつる９・９を開いている時、内側や外側への捻れを防ぐ事になる。
そして従来の蝶番ではレンズとつるの内側が対面して折り畳まれていた為につるが湾曲していたり、内側に障害物があった場合には嵩が高くなったり、レンズに触れる事があったが、回転蝶番７・７を用いる事でレンズ３・３とつる９・９の側面が対面する事で欠点を解消する事が出来る。
尚、図４の（ｃ）に示すように軸１８・１８に環状溝２３・２３を設け、Ｏリング２４・２４やＣリング２５・２５を用いても良い。又（ｄ）に示すようにオス部１９・１９に設けたストッパー１７・１７・１７・１７の内、上部に設けたストッパー１７・１７をつる９・９を外側に９０°捻れる位置に設けても良い。この事に依ってつる９・９を内側だけで無く外側にも捻る事が出来る。
【実施例】
【０００７】  次に、図５から図１８に示す本発明の異なる実施の形態に付いて説明する。尚、これらの本発明の異なる実施の形態の説明に当たって、前記本発明の第１の実施の形態と同じ構成部分には同一符号を附して重複する説明を省略する。
【実施例１】
【０００８】  図５と図６に示す第２の実施の形態において、前記本発明の第１の実施の形態と主に異なる点は、通し孔付きメスこま１１・１１とネジ付きメスこま１２・１２の丸形の外郭線を垂直に降ろし、メス部１４・１４の下面と交わった三角壁２６・２６を新たに設ける。
そしてオス部１９・１９の円盤１６・１６の裏側上部に半ドーナツ状の溝２６・２６・を設けて、そこに差し込む止め金２２・２２をＬ形軸受け２０・２０の軸孔２１・２１の真上、中心線上で円盤側の側面に設けてつる９・９を取り付けた点でこのように形成された回転蝶番７Ａ・７Ａを用いた構成されたメガネ１Ａにしても前記本発明の第１の実施の形態と同じ作用効果が得られる。
尚、半ドーナツ状の溝２６・２６をほぼ縦半分にして用いても良い。
【実施例２】
【０００９】  図７と図８に示す第３の実施の形態において、前記本発明の第１の実施の形態と主に異なる点は、通し孔付きメスこま１１・１１とネジ付きメスこま１２・１２のそれぞれの下部に足部２８・２８・２８・２８を設ける。そして通し孔付きオスこま１５・１５の上面後方の円盤１６・１６の外周面の真上、中心線上にストッパー１７・１７を設ける。その中心線にＬ形軸受け２０・２０の軸孔２１・２１の中心線を重ねてストッパー１７・１７の真裏を起点としてつる９・９を内側、外側に９０°捻った位置で円盤１６・１６の円軌道の外側に水平に１ヶずつ止め金２２・２２・２２・２２を設ける。そしてＬ形軸受け２０・２０の中央、下部の円盤１６・１６寄りに隙間１３・１３に対応した差し込み片２９・２９を設けてつる９・９を取り付けた点で、このように形成された回転蝶番７Ｂ・７Ｂを用いて構成されたメガネ１Ｂにしても前記本発明の第１の実施の形態と同じ作用効果が得られる。
尚、止め金２２・２２・２２・２２はどちらか一方を用いても良い。
【実施例３】
【００１０】  図９と図１０に示す第４の実施の形態において、前記本発明の第１の実施の形態と主に異なる点は、軸棒３０・３０の断面に中心点を通る水平線を引く。太めの円盤を真二つにし、半円片３１・３１を設け、切断面を上向きにして軸棒３０・３０の切断面に中心と水平線に会わせて取り付け、重ね面３２・３２を設ける。更に自在に回転出来る管３３・３３に差込み、その上面に脚部３４・３４と通し孔付きオス輪３５・３５を取り付ける。そして突き出した軸棒３０・３０にパイプ状のつる９・９を被せて繋ぐ。それから通し孔付きオス輪３５・３５の下面をストッパー１７・１７として、つる９・９を外側と内側に９０°ずつ回した所に止め金２２・２２・２２・２２を設ける。次に半丸のＬ形金具６・６に半丸の台座３６・３６を設けたメス部１４・１４を少し前にずらして重ね、熔着して下向きの重ね面３２・３２を設けてつる９・９を取り付けた点でこのように形成された回転蝶番７Ｃ・７Ｃ、Ｌ形金具６Ｃ・６Ｃとつる９Ｃ・９Ｃを用いて構成されたメガネ１Ｃにしても前記本発明の第１の実施の形態と同じ作用効果が得られる。
尚、（ｅ）に示すように突き出した軸棒３０・３０に繋ぎ管３７・３７をはめ、丸棒のつる９・９を繋いでも良い。又止め金２２・２２・２２・２２はどちらか一方を用いても良い。
【実施例４】
【００１１】  図１１と図１２に示す第５の実施の形態において、前記本発明の第１の実施の形態と主に異なる点は、メス部１４・１４に台座３６・３６を設けて台座付きメス部３８・３８とし、Ｌ形金具６・６の末端に切り込み孔３９・３９を設けて取り付ける。次に通し孔付きオス駒１５・１５の上部後方の円盤１６・１６の真上、中心線上を起点として内側及び外側に８５°位離れた所ににストッパー１７・１７・１７・１７設け、更に裏側に軸棒３０ａ・３０ａを設け、後部に環状溝２３・２３を設けて台座付き筒４０・４０に通す。そしてＣ形リング２５・２５をはめて固定し、台座付き筒４０・４０の中央下部に止め金２２・２２を設ける。それからつる９・９の先端にＬ形金具６・６に設けた切り込み孔４０・４０に対応した切り込み凸部４１・４１を設けて取り付けた点で、このように形成された回転蝶番７Ｄ・７Ｄ、Ｌ形金具６Ｄ・６Ｄとつる９Ｄ・９Ｄを用いて構成されたメガネ１Ｄにしても前記本発明の第１の実施の形態と同じ作用効果が得られる。
尚、環状溝２３・２３にＯリング２４・２４を用いたり、自在に回転出来るようにかしめても良い。又ストッパー１７・１７・１７・１７のどちらか一方を用いても良いし、又切り込み孔３９・３９と切り込み凸部４１・４１の代わりに重ね面３２・３２・３２・３２を用いても良い。
【実施例５】
【００１２】  図１３と図１４に示す第６の実施の形態において、前記本発明の第１の実施の形態と主に異なる点は、Ｌ形金具６・６の内側に台座付きメス部３８ａ・３８ａを設け、更に末端の内側半分を縦に削り削り取って、重ね面３２ａ・３２ａを設ける。次に通し孔付きオスこま１５・１５の上面後方の円盤１６・１６の真上、中心線の後方Ｌ形軸受け２０・２０側の側面にストッパー１７・１７を後方に向けて設ける。Ｌ形軸受け２０・２０の軸孔２１・２１の真上、中心線上を起点として内側及び外側の８５°位離れた所にストッパー１７・１７に対応して円盤１６・１６側を削り取り底部４２・４２を設けて、段４３・４３・４３・４３を設ける。そして軸孔２１・２１に通し平形リング４４・４４をはめて固定し、つる９・９に取り付ける。そしてつる９・９も先端の外側半分を縦に削り取って、重ね面３２ａ・３２ａを設けた点でこのように形成された回転蝶番７Ｅ・７Ｅ、Ｌ形金具６Ｅ・６Ｅとつる９Ｅ・９Ｅを用いて構成されたメガネ１Ｅにしても前記本発明の第１の実施の形態と同じ作用効果が得られる。
尚、低部４２・４２を縦半分にしていずれか一方を用いても良いし、又重ね面３２・３２・３２・３２の代わりに切り込み孔３９・３９と切り込み凸部４１・４１を用いても良い。
【実施例６】
【００１３】  図１５と図１６に示す第７の実施の形態において、前記本発明の第１の実施の形態と主に異なる点は、台座付きメス部３８ｂ・３８ｂを重ね面３２ｂ・３２ｂを設けたＬ形金具６・６に取り付ける。そして通し孔付きオスこま１５・１５の上面後方の円盤１６・１６の真上、中心線上を起点として内側及び外側に９５°位離れた所ににストッパー１７・１７・１７・１７を設ける。そしてＬ形軸受け２０・２０の軸孔２１・２１の中心線の真上に止め金２２・２２を設けてつる９・９に取り付けた点で、このように形成された回転蝶番７Ｆ・７Ｆ、Ｌ形金具６Ｆ・６Ｆとつる９Ｆ・９Ｆを用いて構成されたメガネ１Ｆにしても前記本発明の第１の実施の形態と同じ作用効果が得られる。
尚、ストッパー１７・１７・１７・１７のどちらか一方を用いても良いし、又重ね面３２・３２・３２・３２の代わりに切り込み孔３９・３９と切り込み凸部４１・４１を用いても良い。
【実施例７】
【００１４】  図１７と図１８に示す第８の実施の形態において、前記本発明の第１の実施の形態と主に異なる点は、切り込み孔３９ａ・３９ａをあけたＬ形金具６・６に台座付きメス部３８ｃ・３８ｃを取り付ける。そしてつる９・９の先端に切り込み凸部４１ａ・４１ａを設け、オス部１９・１９をＬ形軸受け２０・２０にはめ込んで回転自在にかしめ、つる９・９に取り付けた点で、このように形成された回転蝶番７Ｇ・７Ｇ、Ｌ形金具６Ｇ・６Ｇとつる９Ｇ・９Ｇを用いて構成されたメガネ１Ｇにしても前記本発明の第１の実施の形態とほぼ同じようにつるを回転させ、折り畳む事が出来る。
尚、切り込み孔３７・３７と切り込み凸部４１・４１の代わりに重ね面３２・３２・３２・３２を用いても良い。
【図面の簡単な説明】
【００１５】
【図１】本発明の折り畳んだメガネの斜視図。
【図２】本発明の蝶番の斜視図。（ａ）つるを閉じた斜視図、（ｂ）つるを回転させた斜視図。
【図３】本発明のメガネの斜視図。
【図４】本発明の他の蝶番の分解斜視図。（ｃ）他の固定具の斜視図、（ｄ）他のオス部の斜視図。
【図５】本発明の第１の実施の形態の蝶番の分解斜視図。
【図６】本発明の第１の実施の形態のメガネの斜視図。
【図７】本発明の第２の実施の形態の蝶番の分解斜視図。
【図８】本発明の第２の実施の形態のメガネの斜視図。
【図９】本発明の第３の実施の形態の蝶番の分解斜視図、（ｅ）繋ぎ管とつるの斜視図。
【図１０】本発明の第３の実施の形態のメガネの斜視図。
【図１１】本発明の第４の実施の形態の蝶番の分解斜視図。
【図１２】本発明の第４の実施の形態のメガネの斜視図。
【図１３】本発明の第５の実施の形態の蝶番の分解斜視図。
【図１４】本発明の第５の実施の形態のメガネの斜視図。
【図１５】本発明の第６の実施の形態の蝶番の分解斜視図。
【図１６】本発明の第６の実施の形態のメガネの斜視図。
【図１７】本発明の第７の実施の形態の蝶番の分解斜視図。
【図１８】本発明の第７の実施の形態のメガネの斜視図。
【符号の説明】
【００１６】１，１Ａ、１Ｂ、１Ｃ、１Ｄ、１Ｅ、１Ｆ、１Ｇ：メガネ
２：フレーム                              ３：レンズ
４：ブリッジ                              ５：鼻パット
６：Ｌ形金具
７，７Ａ、７Ｂ、７Ｃ、７Ｄ、７Ｅ，７Ｆ、７Ｇ：回転蝶番
８：ネジ
９，９Ａ、９Ｂ，９Ｃ、９Ｄ、９Ｅ，９Ｆ，９Ｇ：つる
１０：補助つる                          １１：通し孔付きメスこま
１２：ネジ付きメスこま                  １３：隙間
１４：メス部                            １５：通し孔付きオスこま
１６：円盤                              １７：ストッパー
１８：軸                                １９：オス部
２０：Ｌ形軸受け                        ２１：軸孔
２２：止め金                            ２３：環状溝
２４：Ｏリング                          ２５：Ｃリング
２６：三角壁                            ２７：ドーナツ状の溝
２８：足部                              ２９：差込片
３０、３０ａ：軸棒                      ３１：半円片
３２、３２ａ、３２ｂ：重ね面            ３３：管
３４：脚部                              ３５：通し孔付きオス輪
３６：台座                              ３７：繋ぎ管
３８、３８ａ、３８ｂ、３８ｃ：台座付きメス部
３９、３９ａ：切り込み孔                ４０：台座付き筒
４１、４１ａ：切り込み凸部              ４２：低部
４３：段                                ４４：平形リング
【図１】
2006343741.tif 000003
【図２】
2006343741.tif 000004
【図３】
2006343741.tif 000005
【図４】
2006343741.tif 000006
【図５】
2006343741.tif 000007
【図６】
2006343741.tif 000008
【図７】
2006343741.tif 000009
【図８】
2006343741.tif 000010
【図９】
2006343741.tif 000011
【図１０】
2006343741.tif 000012
【図１１】
2006343741.tif 000013
【図１２】
2006343741.tif 000014
【図１３】
2006343741.tif 000015
【図１４】
2006343741.tif 000016
【図１５】
2006343741.tif 000017
【図１６】
2006343741.tif 000018
【図１７】
2006343741.tif 000019
【図１８】
2006343741.tif 000020